(57)【要約】【課題】音響システムにＤＳＤ方式非対応のＡＶアンプを容易に組み込むことを可能にする。【解決手段】オーディオ再生装置１は、ＰＣＭ信号出力用の第１ファームウェアと１ビット変調信号出力用の第２ファームウェアとを格納する不揮発性メモリと、受信装置３の信号処理機能を表す仕様情報を取得し、当該取得された仕様情報に応じて第１ファームウェアと第２ファームウェアのいずれか一方のファームウェアを選択するファームウェア決定部１３Ｂと、通信Ｉ／Ｆ１３と、ファームウェア決定部１３Ｂにより選択されたファームウェアを実行するファームウェア実行部１３Ｃとを備える。第１ファームウェアが選択されたとき、ファームウェア実行部１３Ｃは第１ファームウェアを実行して１ビット変調信号をＰＣＭ信号に変換し、当該変換されたＰＣＭ信号を通信Ｉ／Ｆ１３を通じて受信装置３に出力する。【選択図】図１
2008252693.tif 000002
【特許請求の範囲】
【請求項１】
記録媒体から読み出されたデジタル変調信号を外部の受信装置に出力するオーディオ再生装置であって、
パルス符号変調方式によるＰＣＭ信号を前記受信装置に出力するための第１ファームウェアと１ビットデジタル変調方式による１ビット変調信号を前記受信装置に出力するための第２ファームウェアとを格納する不揮発性メモリと、
前記受信装置の信号処理機能を表す仕様情報を取得し、当該取得された仕様情報に応じて前記第１ファームウェアまたは前記第２ファームウェアのいずれか一方のファームウェアを選択するファームウェア決定部と、
前記受信装置と接続された通信インターフェースと、
前記ファームウェア決定部により選択されたファームウェアを前記不揮発性メモリから読み出し実行するファームウェア実行部と、
を備え、
前記ファームウェア決定部により前記第１ファームウェアが選択されたとき、前記ファームウェア実行部は、当該選択された第１ファームウェアを実行して前記記録媒体から読み出された前記１ビット変調信号をＰＣＭ信号に変換し、当該変換されたＰＣＭ信号を前記通信インターフェースを通じて前記受信装置に出力し、
前記ファームウェア決定部により前記第２ファームウェアが選択されたとき、前記ファームウェア実行部は、当該選択された第２ファームウェアを実行して前記記録媒体から読み出された１ビット変調信号を前記通信インターフェースを通じて前記受信装置に出力することを特徴とするオーディオ再生装置。
【請求項２】
請求項１記載のオーディオ再生装置であって、設定情報が手動入力される操作入力部をさらに備え、前記ファームウェア決定部は、前記設定情報を前記仕様情報として取得することを特徴とするオーディオ再生装置。
【請求項３】
請求項１記載のオーディオ再生装置であって、前記ファームウェア決定部は、前記通信インターフェースを通じて前記受信装置から前記仕様情報を取得することを特徴とするオーディオ再生装置。
【請求項４】
請求項１から３のうちのいずれか１項に記載のオーディオ再生装置であって、前記ファームウェア決定部は、前記仕様情報および前記記録媒体の種類に応じて、前記第１ファームウェアまたは前記第２ファームウェアのうちのいずれか一方のファームウェアを選択することを特徴とするオーディオ再生装置。
【発明の詳細な説明】
【技術分野】
【０００１】
本発明は、記録媒体から再生されたオーディオ信号を外部の受信装置に出力する技術に関する。
【背景技術】
【０００２】
ＬＰＣＭ（Linear Pulse Code Modulation；リニアパルス符号変調）方式は、ＣＤ（Compact Disc）やＤＶＤ（Digital Video Disc）のオーディオフォーマットで採用されている音声符号化技術である。近年、ＬＰＣＭ方式よりも高音質の変調信号を生成し得るＤＳＤ（Direct Stream Digital）方式が普及している。ＤＳＤ方式は、ＳＡＣＤ（Super Audio CD）のオーディオフォーマットで採用されている音声符号化技術である。ＤＳＤ方式では、ΔΣ変調によりアナログ・オーディオ信号は１ビットの変調信号すなわちＤＳＤ信号に変換される。このようなＤＳＤ信号をＡＶアンプにデジタル伝送する方式としては、ＨＤＭＩ（High-Definition Multimedia Interface）方式が公知である。ＤＳＤ信号をＨＤＭＩ方式によりデジタル伝送する技術は、たとえば特許文献１（特開２００５−２９５３９４号公報）および特許文献２（米国特許出願公開第２００５／２２０１９３号公報）に開示されている。
【特許文献１】特開２００５−２９５３９４号公報
【特許文献２】米国特許出願公開第２００５／２２０１９３号公報（特許文献１の特許出願の対応米国出願に係る公開公報）
【発明の開示】
【発明が解決しようとする課題】
【０００３】
特許文献１は、記録媒体から再生されたデジタル信号を送信装置から受信装置（ＡＶアンプ）に伝送する送受信システムを開示している。この送受信システムでは、受信装置であるＡＶアンプがＤＳＤ方式に対応した機能を有していない場合、ＡＶアンプは、送信装置から伝送されたＤＳＤ信号を復調することができない。事実、ユーザーは、自己の所有する音響システムの中にＤＳＤ方式非対応のＡＶアンプを有する場合がある。かかる場合、ユーザーは、以前から所有するＤＳＤ方式非対応のＡＶアンプを新たな音響システムに組み入れることができない事態が生じ得る。
【０００４】
上記に鑑みて本発明の主な目的は、ユーザーが構築しようとする音響システムにＤＳＤ方式非対応のＡＶアンプを容易に組み込むことを可能にするオーディオ再生装置を提供することである。
【課題を解決するための手段】
【０００５】
上記目的を達成すべく、請求項１記載の発明は、記録媒体から読み出されたデジタル変調信号を外部の受信装置に出力するオーディオ再生装置であって、パルス符号変調方式によるＰＣＭ信号を前記受信装置に出力するための第１ファームウェアと１ビットデジタル変調方式による１ビット変調信号を前記受信装置に出力するための第２ファームウェアとを格納する不揮発性メモリと、前記受信装置の信号処理機能を表す仕様情報を取得し、当該取得された仕様情報に応じて前記第１ファームウェアまたは前記第２ファームウェアのいずれか一方のファームウェアを選択するファームウェア決定部と、前記受信装置と接続された通信インターフェースと、前記ファームウェア決定部により選択されたファームウェアを前記不揮発性メモリから読み出し実行するファームウェア実行部と、を備え、前記ファームウェア決定部により前記第１ファームウェアが選択されたとき、前記ファームウェア実行部は、当該選択された第１ファームウェアを実行して前記記録媒体から読み出された前記１ビット変調信号をＰＣＭ信号に変換し、当該変換されたＰＣＭ信号を前記通信インターフェースを通じて前記受信装置に出力し、前記ファームウェア決定部により前記第２ファームウェアが選択されたとき、前記ファームウェア実行部は、当該選択された第２ファームウェアを実行して前記記録媒体から読み出された１ビット変調信号を前記通信インターフェースを通じて前記受信装置に出力することを特徴とする。
【発明を実施するための最良の形態】
【０００６】
以下、本発明の種々の実施例について説明する。
【０００７】
図１は、本発明の一実施例に係るオーディオ再生装置１の概略構成を示す機能ブロック図である。オーディオ再生装置１は、ディスク駆動部１０、コントローラ１１、不揮発性メモリ１２、操作入力部１３および通信インターフェース（通信Ｉ／Ｆ）１４を有している。記録ディスク２には、ＤＳＤ信号またはＬＰＣＭ信号のいずれかが記録されているものとする。ディスク駆動部１０は、図に明示されない構成として、光ピックアップ、プリアンプ、変復調回路およびサーボ制御部などの回路群を含む。コントローラ１１は、ディスク駆動部１０を制御して記録ディスク２に対するデータの書き込みまたは読み出しを実行する機能を有する。コントローラ１１は、ＤＳＰ（デジタル・シグナル・プロセッサ）などのＣＰＵを内蔵した集積回路で構成することができる。
【０００８】
以下、図２を参照しつつオーディオ再生装置１の動作を説明する。図２は、オーディオ再生装置１の処理手順の一例を概略的に示すフローチャートである。オーディオ再生装置１の電源投入あるいは記録ディスク２の装填がなされると、コントローラ１１のファームウェア決定部１１Ｂは、先ず、通信インターフェース１４に接続されているシンク機器である受信装置３の仕様情報を取得する（ステップＳ１）。この仕様情報は、ユーザーが操作入力部１３を操作して手動入力し内部メモリに記憶したものでもよいし、あるいは、ＨＤＭＩ（Higi-Definition Multimedia Interface）方式などのプロトコルにより通信インターフェース１４を介して受信装置３から取得したものでもよい。仕様情報は、ＤＳＤ方式に対応した復調機能を有するか否かを示す情報、マルチチャネル機能を有するか否かを示す情報あるいは著作権情報などの、受信装置３の信号処理機能を表す情報である。仕様情報の取得に成功していれば、次のステップＳ３に処理が移行し、仕様情報の取得に成功していなければ、ステップＳ１０に処理が移行する（ステップＳ２）。
【０００９】
仕様情報の取得に成功しなければ、ファームウェア決定部１１Ｂは、シンク機器３はＤＳＤ方式に対応した機能を有していないと判定して処理モードをＬＰＣＭ出力モードに設定する（ステップＳ３，Ｓ１０）。この場合、コントローラ１１のファームウェア実行部１１Ｃは、ＬＰＣＭ出力モードを示す設定情報に対応するファームウェアＰ１が既にロードされＲＡＭ１１Ａに展開されているか否かを判定する（ステップＳ１１）。ファームウェアＰ１が既にロードされている場合はステップＳ１３に処理が移行し、ファームウェアＰ１がロードされていない場合には、ファームウェア実行部１１Ｃは、ＬＰＣＭ出力モードを示す設定情報に対応するファームウェアＰ１を不揮発性メモリ１２からロードしＲＡＭ１１Ａに展開する（ステップＳ１２）。次いで、ファームウェア実行部１１Ｃは、ファームウェアＰ１を実行して、記録ディスク２から変調信号を読み出し、当該読み出された変調信号がＬＰＣＭ信号であれば、当該ＰＣＭ信号を通信インターフェース１４を介してシンク機器３に出力する（ステップＳ１３）。また、ファームウェア実行部１１Ｃは、記録ディスク２から読み出された変調信号がＤＳＤ信号であれば、当該ＤＳＤ信号をＬＰＣＭ信号に変換し、当該変換されたＬＰＣＭ信号を通信インターフェース１４を介してシンク機器３に出力する（ステップＳ１３）。
【００１０】
上記ステップＳ２においてファームウェア決定部１１Ｂが仕様情報の取得に成功したと判定した場合、ファームウェア決定部１１Ｂは、装填されている記録ディスク２の種別を示すディスク情報を取得する（ステップＳ３）。ディスク情報としては、記録ディスク２がＤＳＤ方式に対応したＳＡＣＤ（Super Audio CD）であるか否かを示す情報、記録ディスク２がＬＰＣＭ方式に対応した媒体であるか否かを示す情報、あるいは、記録ディスク２がＤＳＤ方式およびＬＰＣＭ方式の双方に対応したハイブリッド媒体であるか否かを示す情報が挙げられる。ディスク情報の取得に成功していれば、次のステップＳ５に処理が移行し、ディスク情報の取得に成功していなければ、ステップＳ１０に処理が移行する（ステップＳ４）。
【００１１】
ステップＳ５では、ファームウェア決定部１１Ｂは、出力モードが自動設定モードであるか否かを判定する。ユーザーは、操作入力部１３を操作して自動設定モードのオンまたはオフのいずれか一方を選択することができる。出力モードが自動設定モードでなければ、内部メモリ（図示せず）に記憶されている出力モードの設定情報を取得する（ステップＳ６）。この設定情報は、ユーザーが操作入力部１３を操作して手動入力できる。ユーザーが設定情報を手動入力していない場合には、製品出荷時または製造時に登録されたデフォルトの設定情報が使用される。設定情報の取得に成功していれば、次のステップＳ１１に処理が移行し、設定情報の取得に成功していなければ、ステップＳ１０に処理が移行する（ステップＳ７）。
【００１２】
ステップＳ７で出力モードの設定情報の取得に成功したと判定した場合、ファームウェア実行部１１Ｃは、当該設定情報に対応するファームウェアＰ１またはＰ２が既にロードされＲＡＭ１１Ａに展開されているか否かを判定する（ステップＳ１１）。ファームウェアＰ１は、前述の通り、ＬＰＣＭ方式に対応したものであり、ファームウェアＰ２はＤＳＤ方式に対応したものである。当該ファームウェアが既にロードされている場合はステップＳ１３に処理が移行し、当該ファームウェアがロードされていない場合には、ファームウェア実行部１１Ｃは、設定情報に対応するファームウェアを不揮発性メモリ１２からロードしＲＡＭ１１Ａに展開する（ステップＳ１２）。次いで、ファームウェア実行部１１Ｃは、当該ファームウェアを実行する（ステップＳ１３）。すなわち、当該ファームウェアがＬＰＣＭ方式に対応したファームウェアＰ１であるとき、ファームウェア実行部１１Ｃは、記録ディスク２から変調信号を読み出し、当該読み出された変調信号がＬＰＣＭ信号であれば、当該ＰＣＭ信号を通信インターフェース１４を介してシンク機器３に出力する。また、ファームウェア実行部１１Ｃは、記録ディスク２から読み出された変調信号がＤＳＤ信号であれば、当該ＤＳＤ信号をＬＰＣＭ信号に変換し、当該変換されたＬＰＣＭ信号を通信インターフェース１４を介してシンク機器３に出力する。一方、当該ファームウェアがＤＳＤ方式に対応したファームウェアＰ２であるとき、ファームウェア実行部１１Ｃは、記録ディスク２から変調信号を読み出し、当該読み出された変調信号がＬＰＣＭ信号であれば、当該ＰＣＭ信号をＤＳＤ信号に変換し、当該変換されたＤＳＤ信号を通信インターフェース１４を介してシンク機器３に出力する。また、ファームウェア実行部１１Ｃは、記録ディスク２から読み出された変調信号がＤＳＤ信号であれば、当該ＤＳＤ信号を通信インターフェース１４を介してシンク機器３に出力する。
【００１３】
上記ステップＳ５で出力モードが自動設定モードであると判定した場合、ファームウェア決定部１１Ｂは、取得済みの仕様情報とディスク情報との組み合わせに基づいて出力モードを自動的に決定する（ステップＳ８）。たとえば、シンク機器３がＤＳＤ方式対応機能を有し且つディスク情報が不明（don't care）である場合、出力モードをＤＳＤ出力モードと決定できる。次いで、ファームウェア決定部１１Ｂは、当該決定された出力モードに処理モードを設定する（ステップＳ９）。その後、ステップＳ１１が実行される。
【００１４】
上記の通り、オーディオ再生装置１を使用するユーザーは、受信装置３がＤＳＤ方式対応機能を持つシンク機器であるか、ＤＳＤ方式非対応（ＬＰＣＭ方式対応）のシンク機器であるかに関わらず、受信装置３を音響システムに容易且つ簡便に組み込むことが可能である。したがって、ユーザーは所望の音響環境を容易に構築することが可能である。
【図面の簡単な説明】
【００１５】
【図１】本発明の一実施例に係るオーディオ再生装置の概略構成を示す機能ブロック図である。
【図２】オーディオ再生装置の処理手順の一例を示すフローチャートである。
【符号の説明】
【００１６】
１  オーディオ再生装置
２  記録ディスク（記録媒体）
３  受信装置（ＡＶアンプ）
４  スピーカ
１０  ディスク駆動部
１１  コントローラ
１１Ａ  ＲＡＭ
１１Ｂ  ファームウェア決定部
１１Ｃ  ファームウェア実行部
１２  不揮発性メモリ
１３  通信インターフェース
【図１】
2008252693.tif 000003
【図２】
2008252693.tif 000004